(57)【要約】【課題】  内袋が風で容器から飛散して作業の中断が起きる事を防止し、更に、内袋の上縁を、側壁上部の溝へ差込むことによる内袋の上部の制約を最小限とすることで、作業性を改善する。かつ、発泡合成樹脂製容器の強度を低下させることなく、容器と内袋との良好な係止を実現する。また、断熱性、保冷性に優れた発泡合成樹脂製容器を提供する。【解決手段】  蓋体と函体からなる発泡合成樹脂製容器であって、函体内底面と内側壁とが交差する角部近傍に、内袋を係止するための凹部を設けたことを特徴とする発泡合成樹脂製容器。また、函体内底面と、内側壁とが交差する角部近傍の、函体の内側壁と内側壁とが交差する隅角部に、内袋を係止するための凹欠部を設けたことを特徴とする。【選択図】  図２
2006327600.tif 000002
【特許請求の範囲】
【請求項１】
蓋体と函体からなる発泡合成樹脂製容器であって、函体内底面と内側壁とが交差する角部に、内袋を係止するための凹部を設けたことを特徴とする発泡合成樹脂製容器。
【請求項２】
該凹部が、切り込み又は凹溝であることを特徴とする請求項１記載の発泡合成樹脂製容器。
【請求項３】
該凹部が、函体内側壁と１以上の凸部間に形成される凹空間、或いは、２個以上の凸部間に形成される凹空間であることを特徴とする請求項１記載の発泡合成樹脂製容器。
【請求項４】
該凹部が内側壁に略平行である請求項１〜３のいずれか１に記載の発泡合成樹脂製容器。
【請求項５】
該凹部が連続したものである請求項１、２、４のいずれか１に記載の発泡合成樹脂製容器。
【請求項６】
該凹部が非連続である請求項１、２、４のいずれか１に記載の発泡合成樹脂製容器。
【請求項７】
蓋体と函体からなる発泡合成樹脂製容器であって、函体内底面と２つの隣接する内側壁とが交差する隅角部に、内袋を係止するための凹部としての凹欠部を設けたことを特徴とする発泡合成樹脂製容器。
【請求項８】
請求項１〜７のいずれか１に記載の凹部に内袋の底部分が挿入されてなる内袋付き発泡合成樹脂製容器。
【発明の詳細な説明】
【技術分野】
【０００１】
本発明は、内袋を用いる際に内袋の飛散防止効果に優れる有用な発泡合成樹脂製容器に関し、更に、断熱性、保冷性にも優れた発泡合成樹脂製容器に関する。
【背景技術】
【０００２】
近年、発泡合成樹脂製容器は、軽量で、衛生的で、断熱性に優れていることから冷凍、あるいは冷蔵を必要とする魚介類等の水産物、果実、野菜等の農産物等の生鮮食品の包装容器として広く使用されている。更には保冷性を向上させる目的で、輻射線による熱の移動を遮断して断熱性を向上するために着色した内袋に保冷物を入れて包んだ上で、これを発泡合成樹脂製包装容器に収容する技術が提案されている（例えば特許文献１参照）。製函業者によって函体内に装着され、内袋の上部を函体の外方に折り返して函体の外部を覆うようにして一体化するため、内袋が外れやすい、或いは、作業中または運搬中に内袋の端部が引っかかり、函体が落下する恐れがあった。
【０００３】
このため、係る問題を解決するための発泡合成樹脂製包装容器が提案されている（特許文献２参照）。ここに開示される函体は、側壁上面に溝を形成し、内袋の上縁を該溝に挿入するというものである。この函体であると、作業中に内袋が引っかかるという問題はある程度解決できるものの、内袋の上縁を側壁上端に形成した溝に挿入するため、挿入作業がやっかいであると共に函体自体の強度が低下するという問題があった。
【特許文献１】特開平１１−２４５９７４号公報
【特許文献２】特開２００２−３６２６３０号公報
【発明の開示】
【発明が解決しようとする課題】
【０００４】
本発明は、内袋が風で容器から飛散して作業の中断が起きる事を防止し、更に、容器の強度を低下させることなく、容器と内袋との係止が容易で、かつ良好な係止を実現する。また、断熱性、保冷性に優れた発泡合成樹脂製容器を提供するものである。
【課題を解決するための手段】
【０００５】
即ち本発明の第１は、蓋体と函体からなる発泡合成樹脂製容器であって、函体内底面と内側壁とが交差する角部に、内袋を係止するための凹部を設けたことを特徴とする発泡合成樹脂製容器に関する。
【０００６】
好ましい実施態様としては、
（１）該凹部が、切り込み又は凹溝であることを特徴とする、
（２）該凹部が、函体内側壁と１以上の凸部間に形成される凹空間、或いは、２個以上の凸部間に形成される凹空間であることを特徴とする、
（３）該凹部が内側壁に略平行である、
（４）該凹部が連続したものである、
（５）該凹部が非連続である、
前記記載の発泡合成樹脂製容器に関する。
【０００７】
本発明の第２は、蓋体と函体からなる発泡合成樹脂製容器であって、函体内底面と２つの隣接する内側壁とが交差する隅角部に、内袋を係止するための凹部としての凹欠部を設けたことを特徴とする発泡合成樹脂製容器に関する。
【０００８】
本発明の第３は、前記記載の凹部に内袋の底部分が挿入されてなる内袋付き発泡合成樹脂製容器に関する。
【発明の効果】
【０００９】
函体内底面と内側壁の角部に、内袋を係止するための凹部を設けて、函体内に装着する内袋を挿入することにより、容易に、かつ確実に係止することが出来る。このように、函体内底面の角部に設けた凹部へ、内袋の底部近傍を係止できることから、特開２００２−３６２６３０号に開示されたもののように側壁上部に、内袋の上縁を差込まなくて済むので、内袋の上部は極めて自由で制約を受けずに取り扱うことが可能となる。このように、内袋の底部近傍を発泡合成樹脂製容器に良好に係止しうるので、内袋の風等による飛散を良好に防止できると共に、発泡合成樹脂製容器内に収容物を収納した後は、内袋の上部を自由に畳んで発泡合成樹脂製容器内に納めて閉蓋することが出来るので作業性を向上させることができる。また、断熱性、保冷性の低下を生ずることも無く優れた発泡合成樹脂製容器を提供出来る。
【発明を実施するための最良の形態】
【００１０】
本発明の発泡合成樹脂製容器は、合成樹脂発泡体で形成される。発泡合成樹脂製包装容器を形成する合成樹脂としては発泡ポリスチレン、発泡ポリエチレン、発泡ポリプロピレン、硬質発泡ウレタン樹脂等を用いることができるが、中でも発泡ポリスチレンが好ましい。
【００１１】
以下、本発明を図面を用いて詳細に説明する。図１は本発明の一実施態様であり、この図は、発泡合成樹脂製容器１の全体を示すようにしたもので、一部切り欠き斜視図である。発泡合成樹脂製容器１は、側壁３および底面４によって箱状に形成された函体２と、函体２に嵌合する形状に形成された蓋体５とからなる。
【００１２】
蓋体５の下面、及び、函体２の側壁３の上面には互いに嵌合する凹凸形状６を有していることが好ましい。嵌合形状については特に限定はなく公知の形状を使用することが出来る。例えば、図１では、側壁３の上面に凹凸形状６の凸を設けた例を示しているが、蓋体５の下面、及び、側壁３の上面にはどちら側にでも凹又は凸のいずれか一方の凹凸形状６を付することが出来、また、これら凹凸形状６は連続していても、非連続であっても良い。
【００１３】
本発明において、内袋を係止するための凹部は函体２における内側壁３ａ、３ａ’、３ｂ、３ｂ’と内底面４ａとが交差する角部８の近傍に設ける。角部８とは、内側壁３ａ、３ａ’、３ｂ、３ｂ’と内底面４ａとが交差する部分（いわゆる、角部８）、及び、この角部８に近い内側壁３ａ、３ａ’、３ｂ、３ｂ’、及び、この角部８の近傍も包含する。
【００１４】
図２は本発明の発泡合成樹脂製容器の縦断面図であり、内袋を係止するための凹部９として、切り込み１０を採用した例である。この切り込み１０においては、この立ち上がり部分である角部８に設けるのが最も好ましい。この図２の態様では、角部８は、３角リブを設けて角部８は補強されており、そしてこの３角リブに切り込み１０が設けられた例を示している。
【００１５】
こうした構成により、内袋の適宜箇所をこの切り込み１０に挟み込むことにより内袋を函体２に係止させて、風などの外力によって、飛散することを防止する。
【００１６】
この切り込み１０凹部９は、内側面３ａ、３ａ’、３ｂ、３ｂ’に沿って設けるのが好ましく、それも、例えば略平行に設けるのが好ましい。また、切り込み１０は、連続的に設けることも出来るが、内袋を係止するのに必要な箇所にのみ、非連続的に設けるのが、函体２の強度を出来るだけ低下させないという観点からより好ましい。
【００１７】
図３は、別の実施態様を示した縦断面図であり、函体２の内側壁３ａ、３ａ’、３ｂ、３ｂ’と内底面４ａとから構成される角部８の近傍である内底面４ａに、凹部の一種である凹溝１５が設けてある。なお、この図例における、角部８は、アール状のリブを設けて補強した例が示されている。前記３角リブやアール状のリブを適宜用いることにより、角部８の補強を行うことは、従前の公知例に従い、本発明においても自由に採用出来る。
【００１８】
この凹溝１５は、角部８の近傍に設ければ良く、内側壁３ａ、３ａ’、３ｂ、３ｂ’に沿って設けるのが好ましく、それも略平行に設けるのが好ましい。また、凹溝１５は、連続的に設けることも出来るが、内袋を係止するのに必要な箇所にのみ、非連続的に設けると、函体２の強度を出来るだけ低下させないという観点からより好ましい。
【００１９】
図４は、凹溝１５を図３より更に角部８に近く設けた例を示した縦断面図である。
【００２０】
図５は、別の実施態様を示した縦断面図である。函体２の内側面３ａ、３ａ’、３ｂ、３ｂ’と内底面４ａとから構成される角部８の近傍の内底面には、２個の凸部２０が並べて設けてあり、２個の凸部２０の空間に形成される凹空間２５の内部に内袋の適宜箇所を押込むことにより内袋を函体２に係止させる目的である。
【００２１】
この凸部２０は、角部８の近傍に設ければ良く、図６に示すごとく、内側壁３ａ、３ａ’、３ｂ、３ｂ’に、例えば略平行に種々の態様で設けることが出来る。凸部２０は、例えば、２個一組で、３個一組で、また、より多数個一組で、一重列で、あるいは二重列で更には多重列で設けることも出来、更には、コ字型に設けることも出来る。要するに、これら凸部２０の間の空間に形成される凹空間２５が、内袋を係止するのに必要な箇所に存在していれば良いので、その態様は問わない。図７も、凸部２０の別の形態を示す平面図であり、図６に示す凸部２０より長い形状のものが使用された例である。或いは、長い形状の凸部２０と、短い形状の凸部２０とを混在させて使用してもよい。或いは、函体内側壁と１以上の凸部間に形成される凹空間を設けてもよい。
【００２２】
図９は、本発明の別の態様の平面図を示しており、図８は、そのＡ−Ａ’断面図を示している。函体２の内底面４ａと隣接する２つの内側壁とが交差する４個の隅角部、すなわち、内側壁３ａと内側壁３ｂとが交差する隅角部３０ａ、内側壁３ａ’と内側壁３ｂとが交差する隅角部３０ｂ、内側壁３ａ’と内側壁３ｂ’とが交差する隅角部３０ｃ、内側壁３ａと内側壁３ｂ’とが交差する隅角部３０ｄに、内袋の底部近傍の適宜箇所を押込み係止するため、突起４５を形成することにより、凹部の一種である凹欠部４０を設けるものである。それぞれの隅角部３０ａ、３０ｂ、３０ｃ、３０ｄを補強するための、アール形状、または３角リブ等の補強部よりも大きな補強部を内底面４ａから少し上部、すなわち、角部８より少し内側面３ａ、３ａ’、３ｂ、３ｂ’寄り位置を設けることにより、大小の補強部の段差部に凹欠部４０を形成させる。
【００２３】
本発明において、凹部の形成方法としては、函体２を成形するために使用する成形金型に凹凸を設けることで形成出来るのであれば、通常の成形方法で成形すれば良い。このような通常の成形方法で凹部の形成が難しい場合には、成形金型の開閉によって、凹部の方向に凹部の形状に応じた板状体等が出入りする中子を使用するとか、型締め時に突出し、型開き時には、スプリング機構等により型の移動方向と平行に傾く板状中子等を用いることにより容易に形成できる。また、エアシリンダー機構により、型締め後に板状体等を突出させ、型開き時には板状体等を収納させるようにすることでも容易に形成できる。
【００２４】
発泡合成樹脂製容器１の内部には内袋が装着され、内袋付き発泡合成樹脂製容器となる。内袋については、その材質には特に限定はなく、高圧法低密度ポリエチレン、線状低密度ポリエチレン、エチレン・酢酸ビニル共重合体、ポリプロピレン等のポリオレフィンフィルム、あるいは、塩化ビニル、ポリエステル、ポリアミド等のフィルムを用いて形成することができる。
【００２５】
また、合成樹脂からなるフィルムにアルミニウム等の輻射線反射性物質を積層した複合フィルムを用いることができ、輻射線反射性物質を積層する方法としては、金属箔に合成樹脂のフィルムを貼付する方法、あるいは、真空蒸着、スパッタリングによって蒸着することによって行なうことができる。中でも合成樹脂フィルムにアルミニウムを蒸着したものが好ましい。
【００２６】
この内袋は、保冷物を収容して函体の内部に装填されるもので、内袋に保冷物を収容した後、内袋の上部を畳んで保冷物を覆うようにして使用される。従って、内袋は可撓性を有するように形成されると共に函体の深さ以上の深さ、好ましくは函体の深さの１．５〜３倍程度の深さを持つ袋が一般に使用される。
【００２７】
本発明の発泡合成樹脂製容器を用いて保冷物を収納する以前に、函体の内部に内袋を装填して、内袋の下部を函体の内壁に沿わせた後、内袋の角部８近傍ないしは隅角部（３０ａ、３０ｂ，３０ｃ、３０ｄ）に設けた凹部９に内袋の底部近傍の一部分を差込むことによって、内袋は凹部に容易に係止、保持されるので、この係止作業の作業性は非常に優れている。
【００２８】
そして、本発明では内袋の底部近傍の一部分を、発泡合成樹脂製容器の角部８ないしは隅角部に設けた凹部へ係止するものであることから、特開２００２−３６２６３０号に開示されたもののように側壁上部で内袋を差込まなくて済む。このため、内袋の上部は自由に畳んで発泡合成樹脂製容器内に収容することが出来るので、内袋の上部が発泡合成樹脂製容器の外に露出する程度が少なくて済むことから、内袋の風等による飛散の防止や、コンベアー等の機械による移動、人力での運搬作業中に周囲のものに引っ掛かる恐れを極めて少なくすることができる。
【００２９】
内袋を発泡合成樹脂製容器内にセットできた後には、内袋内に氷と共に保冷物を入れた後、内袋の上部を折り畳んで保冷物を覆い、その上に蓋体を被せることによって収納作業を終え出荷等に供することができる。
【００３０】
本発明の発泡合成樹脂製容器は、魚介類、野菜等の生鮮食料品等の保冷を要する物品の保存、移送に使用することができ、特に鰯、秋刀魚、鯖、鯵等、またブロッコリー等、氷を使用して輸送する際の冷却むらが忌避される魚介類，野菜類の保存、移送に適する。
【図面の簡単な説明】
【００３１】
【図１】本発明の発泡合成樹脂製容器の第一の態様例であって、その全体像を示す一部切り欠き斜視図である。
【図２】本発明の第一の態様例を示す縦断面図である。
【図３】本発明の第二の態様例を示す縦断面図である。
【図４】本発明の第三の態様例を示す縦断面図である。
【図５】本発明の第四の態様例を示す縦断面図である。
【図６】本発明の第五の態様例を示す平面図である。
【図７】本発明の第六の態様例を示す平面図である。
【図８】図９に示す態様例のＡ−Ａ´矢視の一部省略縦断面図である。
【図９】本発明の第七の態様例を示す平面図である。
【符号の説明】
【００３２】
１    発泡合成樹脂製容器
２    函体底面
３    側壁
３ａ、３ａ’、３ｂ、３ｂ’    内側壁
４    底面
４ａ  内底面
５    蓋体
６    凹凸形状
８    角部
１０  切り込み
１５  凹溝
２０  凸部
２５  凹空間
３０ａ、３０ｂ、３０ｃ、３０ｄ  隅角部
４０  凹欠部
４５  突起
【図１】
2006327600.tif 000003
【図２】
2006327600.tif 000004
【図３】
2006327600.tif 000005
【図４】
2006327600.tif 000006
【図５】
2006327600.tif 000007
【図６】
2006327600.tif 000008
【図７】
2006327600.tif 000009
【図８】
2006327600.tif 000010
【図９】
2006327600.tif 000011